(57)【特許請求の範囲】
【請求項１】
複数ページを綴じて形成した複葉媒体のページをめくるためのページめくり装置であって、
前記複葉媒体を搬送あるいは停止させる複葉媒体送り機構と、
開かれた状態の前記複葉媒体のページ表面に対向して位置し、駆動源により回転駆動されるとともに、少なくとも２つは前記複葉媒体の幅方向に互いに間隔をあけて配置される複数のローラと、
前記複数のローラの内、前記複葉媒体の幅方向に間隔をあけて配置された前記少なくとも２つのローラを前記ページ表面に当接した状態で押圧する押圧手段と、
前記少なくとも２つのローラの押圧力をローラ毎に調整する押圧力調整機構と、
を備えて構成されることを特徴とするページめくり装置。
【請求項２】
それぞれ揺動軸を挟んでシャフト支持部と押圧手段係止部とを備えるとともに揺動自在に設けられた一対のアーム部材と、
前記ローラが固定されるとともに、前記一対のアーム部材のシャフト支持部に回転可能に支持されるローラシャフトとを備え、
前記各アーム部材の押圧手段係止部に前記押圧手段による押圧力が作用する構成とされていることを特徴とする請求項１記載のページめくり装置。
【請求項３】
前記押圧手段が付勢部材であり、かつ前記付勢部材で発生する付勢力を変化させる構成であることを特徴とする請求項２記載のページめくり装置。
【請求項４】
前記複葉媒体送り機構により進退する複葉媒体をその一側端側で位置決めする位置決め部材が備えられていることを特徴とする請求項１記載のページめくり装置。
【請求項５】
複数ページを綴じて形成した複葉媒体のページに当接しその回転駆動により前記ページをめくる一対のページめくりローラと、
前記一対のページめくりローラが所定間隔あけて固着されるシャフトと、
前記シャフトを左右一対の支持部で回転可能に、かつ、前記一対のページめくりローラ同士の間隔の中心と前記左右の支持部間の中心とが偏心するように支持するシャフト支持手段と、
前記一対のページめくりローラを前記複葉媒体に対して押圧させるための複数の付勢部材と、
前記複数の付勢部材の付勢力を独立して変更する付勢力調整手段と、を備えたことを特徴とするページめくり装置。
【請求項６】
前記付勢力調整手段には、付勢力の調整値が示されていることを特徴とする請求項５に記載のページめくり装置。
【請求項７】
複数ページを有してその一端側で綴じられた通帳の前記ページに記録情報を印字する通帳プリンタであって、
前記記録情報を前記通帳の定められたページに印字する印字手段と、
前記通帳を搬送あるいは停止させる通帳送り機構と、
前記通帳のページをめくるページめくり機構とを備え、
前記ページめくり機構が、
印字される通帳の幅寸法の中心に対して左右非対称に配置されるとともに、開かれた状態の前記通帳のページ表面に対向して位置し、駆動源により回転駆動される一対のローラと、
前記一対のローラを前記ページ表面に当接した状態で所定の押圧力で押圧させる押圧手段と、
前記押圧手段における前記一対のローラの押圧力をローラ毎に調整する押圧力調整機構とを備えていることを特徴とする通帳プリンタ。
【請求項８】
前記押圧力調整機構による押圧力の調整は、前記通帳の幅寸法に応じて行われることを特徴とする請求項７に記載の通帳プリンタ。
【請求項９】
前記一対のローラの押圧力は、相互に異なることを特徴とする請求項７に記載の通帳プリンタ。
【請求項１０】
記録情報を通帳の定められたページに印字する印字手段と、
前記通帳を前記印字手段に対して進退あるいは停止させる通帳送り機構と、
開かれた状態の前記通帳のページ表面に対向して位置し、回転駆動することにより前記ページをめくり、かつ前記通帳の幅方向に移動可能な複数のページめくりローラとを備えたことを特徴とする通帳プリンタ。
【請求項１１】
複数ページが綴じられた複葉媒体のページを、一対のローラで押圧力を与えつつ前記ローラを回転駆動させることによって前記複葉媒体の綴じた部分を中心としてめくり上げた後、複葉媒体送り機構により前記複葉媒体を前記ページ表面に沿った方向に進退させることによって前記ページをめくる構成のページめくり装置の設定調整方法であって、
前記一対のローラの押圧力設定値が取り扱う通帳の幅寸法に適合しているか否かを判断し、
前記一対のローラの押圧力設定値が取り扱う通帳の幅寸法に適合していない場合に、取り扱う前記複葉媒体の幅寸法に応じて、前記複数のローラのうちの一つのローラの押圧力を維持しつつ、他方のローラの押圧力を変更することを特徴とするページめくり装置の設定調整方法。
【発明の詳細な説明】
【０００１】
【発明の属する技術分野】
本発明は、例えば通帳記帳機や自動入出金機等において、複数種の幅を有した通帳等の複葉媒体を取り扱う場合、確実にページめくりができるよう、取り扱う複葉媒体の幅ごとに容易に対応可能なページめくり装置、通帳プリンタならびにページめくり装置の設定調整方法に関する。
【０００２】
【従来の技術】
各種金融機関等に設置されている通帳記帳機や自動入出金機（いわゆるＡＴＭ）等においては、周知のとおり、複数ページを有した通帳（複葉媒体）を取り扱う。利用者は、最終（最新）記録が印字されているページを開いた状態で、通帳を通帳記帳機や自動入出金機等に投入し、取引内容等に応じて所定の記録を印字（また必要に応じて磁気情報等として記録）するわけである。このとき、開いているページが最終行まで印字されたとき、あるいは投入された時点で既に最終行まで印字されているページが開かれているとき等には、ページめくり機構によって通帳のページを自動的にめくり、次のページを開くようになっている。
【０００３】
このようなページめくり機構としては、例えば図１０に示すようなものがある。
この図に示すページめくり機構は、例えば二組のローラ１Ｌ，１Ｒを備えている。これらのローラ１Ｌ，１Ｒは、ローラシャフト２に一体に設けられており、このローラシャフト２が駆動ベルト３を介して図示しないモータ等により回転駆動されることにより、ローラ１Ｌ，１Ｒが回転駆動されるようになっている。また、ローラシャフト２は、その両端部がアーム４Ｌ，４Ｒを介して支持シャフト５に支持されており、この支持シャフト５を軸とした回転によりアーム４Ｌ，４Ｒが揺動し、ローラ１Ｌ，１Ｒは通帳のページ表面に当接した位置と、ページ表面から離間した位置との間で進退するようになっている。また、アーム４Ｌ，４Ｒの基端部には、スプリング６Ｌ，６Ｒの一端が係止されており、その他端は装置本体側に固定されたブラケット７に係止されている。そして、支持シャフト５には、ピン８，８が設けられており、このピン８，８は通常時においてアーム４Ｌ，４Ｒに係合し、支持シャフト５を所定角度回転（図１０において矢印（イ）方向）した時点で、アーム４Ｌ，４Ｒとの係合が解除されるようになっている。
【０００４】
このようなページめくり機構で通帳のページをめくるときには、通帳自体を固定した状態で、図示しないモータ等で支持シャフト５を回転させると、所定角度回転した時点で、ピン８，８によるアーム４Ｌ，４Ｒの係合が解除される。すると、スプリング６Ｌ，６Ｒの付勢力により、アーム４Ｌ，４Ｒが揺動してローラ１Ｌ，１Ｒが下方のページ表面に押し付けられる。この状態で、これらローラ１Ｌ，１Ｒを図示しないモータで回転駆動させることによって、ページを、当該ページが綴じられている端部側にたぐる。さらにローラ１Ｌ，１Ｒに回転させると、当該ページはローラ１Ｌ，１Ｒ上にめくり上げられるので、この後は通帳を図中矢印（ロ）方向に移動させることにより、ページめくりが行われるのである。
【０００５】
【発明が解決しようとする課題】
ところで、日本国内に限って言えば通帳の寸法が統一されているものの、他の各国においてはその寸法（特に幅）が統一されているとは限らず、金融機関毎に、例えば１２０ｍｍ〜１８０ｍｍ程度の範囲内で様々な寸法の通帳が使用されている。
【０００６】
このような様々な寸法の通帳をページめくりするに際しては、ローラ１Ｌ，１Ｒが、取り扱う通帳の中心に対して左右対称に位置しているのが好ましい。これは、ローラ１Ｌ，１Ｒが通帳の中心に対していずれか一方にオフセットして位置していると、ページをめくるときに、当該ページの一方の端部と他方の端部とで撓み量が異なって均等にめくり上げられず、うまくページめくりできなかったり、あるいはページが途中で折れてしまう等の現象が発生する可能性があるからである。
【０００７】
しかし、通帳記帳機や自動入出金機等を製作するメーカ側においては、メーカの工場での製作段階で、個々のユーザ側で使用する通帳の寸法が予め把握できているとは限らず、使用する通帳の寸法に合わせてローラ１Ｌ，１Ｒの位置を予め設定しておくことは困難である。
このため、金融機関に納入する段階で、使用する通帳の寸法に合わせて納入業者やユーザ側で装置の設定を行う必要があるが、言うまでもなく面倒な作業は避ける必要がある。
【０００８】
本発明は、このような技術的課題に基づいて、使用する通帳の幅に合わせた設定変更を容易かつ確実に行うことができ、しかもページめくりを確実に行えるようなページめくり装置、通帳プリンタならびにページめくり装置の設定調整方法を提供することを目的とするものである。
【０００９】
【課題を解決するための手段】
かかる目的のもと、本発明のページめくり装置は、複数ページを綴じて形成した複葉媒体のページをめくるためのページめくり装置であって、前記複葉媒体を搬送あるいは停止させる複葉媒体送り機構と、開かれた状態の前記複葉媒体のページ表面に対向して位置し、駆動源により回転駆動される複数のローラと、前記複数のローラを前記ページ表面に当接した状態で押圧するとともに、前記複数のローラの少なくとも1つの押圧力を調整することのできる押圧手段と、を備えて構成されることを特徴としている。このようなページめくり装置では、各ローラの押圧力を調整してバランスをとることで、ローラが必ずしも複葉媒体の中心に対して対称に位置していなくても、ページを均等にめくり上げることが可能となる。
【００１０】
より具体的には、それぞれ揺動軸を挟んでシャフト支持部と押圧手段係止部とを備えるとともに揺動自在に設けられた一対のアーム部材と、前記ローラが固定されるととも、前記一対のアーム部材のシャフト支持部に回転可能に支持されるローラシャフトとを備え、前記各アーム部材の押圧手段係止部に前記押圧手段による押圧力が作用する構成とされていることを特徴としている。これにより、押圧手段の押圧力がそれぞれのアーム部材およびローラシャフトを介してローラに作用することとなり、各アーム部材に作用させる押圧手段の押圧力を調整することにより、ローラの押圧力を容易に調整できる。
【００１１】
また、前記押圧手段が付勢部材であり、かつ前記付勢部材で発生する付勢力を変化させる構成であることを特徴としている。各ローラに対応したバネ等の付勢部材の付勢力を変化させることによって、各ローラの押圧力を調整することができる。付勢力を変化させる具体的な手段としては、例えばバネ等のバネ長を変化させることが考えられる。これは、バネ等、付勢部材の一端側の固定位置を変更すること等により実現できる。また、これ以外にも、各組のローラに対し、付勢部材による付勢力が作用する作用点との距離を変更する等して、付勢力によるモーメントを変更するようにしてもよい。
【００１２】
さらに、前記複葉媒体送り機構により進退する複葉媒体をその一側端側で位置決めする位置決め部材が備えられていることを特徴とすれば、様々な幅の複葉媒体を取り扱うにしても、すべての複葉媒体が位置決め部材によりその一側端側で位置決めされることとなり、押圧手段における押圧力の調整を容易に行うことが可能となる。
【００１３】
さらに、このページめくり装置では、前記複葉媒体送り機構で前記複葉媒体を進退させるときには前記複葉媒体のページに沿ってその上方に固定され、前記ローラを回転駆動させて前記複葉媒体のページをめくるときには、前記一端側を中心としてめくり上げられる前記ページに倣って揺動するガイド部材が、前記ローラの近傍に備えられていることを特徴とすることができる。このように構成すれば、複葉媒体の進退時にはガイド部材を複葉媒体のガイドとすることができ、不用意にページが捲れるのを防止でき、またページをめくるときには、ページに倣ってガイド部材が揺動することにより、ページが必要以上に跳ね上がるのを防止し、ページめくり動作を確実に行うことが可能となる。このようなガイド部材は、ページを正逆両方にめくるのであれば、ローラの前後にそれぞれ備えるのが好ましい。
【００１４】
また本発明では、複数ページを綴じて形成した複葉媒体のページに当接しその回転駆動により前記ページをめくる一対のページめくりローラと、前記一対のページめくりローラが所定間隔あけて固着されるシャフトと、前記シャフトを左右一対の支持部で回転可能に、かつ、前記一対のページめくりローラ同士の間隔の中心と前記左右の支持部間の中心とが偏心するように支持するシャフト支持手段と、前記一対のページめくりローラを前記複葉媒体に対して押圧させるための複数の付勢部材と、前記複数の付勢部材の付勢力を独立して変更する付勢力調整手段と、を備えたことを特徴とするページめくり装置が提供される。ローラが複葉媒体の中心に対して非対称となっているものは、ローラ同士の間隔の中心とローラを支持するシャフトの支持部間の中心とが偏心している。このようなページめくり装置においても、ページを均等にめくり上げることが可能となる。このページめくり装置は、前記付勢力調整手段に、付勢力の調整値が示されていることが望ましい。例えば、複葉媒体の幅に対応した目盛りを付勢力調整手段に示しておけば、調整作業の負担を軽減することができる。
【００１５】
また、本発明の通帳プリンタは、複数ページを有してその一端側で綴じられた通帳の前記ページに記録情報を印字する通帳プリンタであって、前記記録情報を前記通帳の定められたページに印字する印字手段と、前記通帳を搬送あるいは停止させる通帳送り機構と、前記通帳のページをめくるページめくり機構とを備え、前記ページめくり機構が、印字される通帳の幅寸法の中心に対して左右非対称に配置されるとともに、開かれた状態の前記通帳のページ表面に対向して位置し、駆動源により回転駆動される一対のローラと、前記一対のローラを前記ページ表面に当接した状態で所定の押圧力で押圧させる押圧手段と、前記押圧手段における前記各ローラの押圧力を調整する押圧力調整機構とを備えていることを特徴としている。このような通帳プリンタでは、印字手段で例えば入出金、残高等の各種記録情報を印字し、ページ識別手段および判定手段で通帳のページをめくるか否かを判定し、ページをめくる必要があると判定したときには、ページめくり機構でページを自動的にめくるようになっている。このとき、ページめくり機構では、各ローラの押圧力を調整してバランスをとることで、ローラが必ずしも複葉媒体の中心に対して対称に位置していなくても、ページを均等にめくり上げることが可能となる。
本発明の通帳プリンタにおいて、前記押圧力調整機構による押圧力の調整は、通帳の幅寸法に応じて行われる。ローラが複葉媒体の中心に対して非対称となる場合には、各ローラの押圧力を等しくするとページめくり不良を招くおそれが大きい。従って、一対のローラの押圧力は、ページを均等にめくり上げるために、相互に異ならせることになる。
【００１６】
本発明では、記録情報を通帳の定められたページに印字する印字手段と、前記通帳を前記印字手段に対して進退あるいは停止させる通帳送り機構と、開かれた状態の前記通帳のページ表面に対向して位置し、回転駆動することにより前記ページをめくり、かつ前記通帳の幅方向に移動可能な複数のページめくりローラとを備えたことを特徴とする通帳プリンタが提供される。各ローラの押圧力を調整することはページめくり不良に有効であるが、各ローラが通帳の中心に対して対象に配置されることがより望ましい。従来の通帳プリンタは、ページめくりローラがシャフトに対して固定されていた。そこで本発明では、このローラを通帳の幅方向に移動可能とした。さらに各ローラの押圧力を調整可能とすれば、ページめくり不良の低減にきわめて有効となる。
【００１７】
さらに、本発明をページめくり装置の設定調整方法として把らえると、複数ページが綴じられた複葉媒体のページを、一対のローラで押圧力を与えつつ前記ローラを回転駆動させることによって前記複葉媒体の綴じた部分を中心としてめくり上げた後、複葉媒体送り機構により前記複葉媒体を前記ページ表面に沿った方向に進退させることによって前記ページをめくる構成のページめくり装置の設定調整方法であって、前記一対のローラの押圧力設定値が取り扱う通帳の幅寸法に適合しているか否かを判断し、前記一対のローラの押圧力設定値が取り扱う通帳の幅寸法に適合していない場合に、取り扱う前記複葉媒体の幅寸法に応じて、前記一対のローラのうちの一方のローラの押圧力を維持しつつ、他方のローラの押圧力を変更することを特徴とすることを特徴としている。より具体的には、前記押圧手段として付勢部材を用い、前記押圧力調整機構では、前記付勢部材で発生する付勢力を変化させることにより前記押圧力を調整することを特徴とすることもできる。これにより、様々な幅の複葉媒体に対応させるに際し、押圧力の調整のみで済むので、その対応を容易かつ確実に行うことが可能となる。
【００１８】
【発明の実施の形態】
以下、添付図面に示す実施の形態に基づいてこの発明を詳細に説明する。
図１は、本実施の形態におけるページめくり装置の全体構成を説明するための斜視分解図であり、図２は図１の組み立て状態を示す斜視図である。このページめくり装置は、例えば通帳記帳機や自動入出金機等に装備された通帳プリンタの一部として備えられるものであり、符号Ｐは通帳プリンタ、１０はベースフレーム、２０はページめくり機構である。
【００１９】
ベースフレーム１０は、通帳プリンタＰに投入された通帳（複葉媒体）を底面１０ａ上に乗せた状態で図中矢印（ハ）・（ニ）方向に搬送するもので、底面１０ａには、複葉媒体送り機構、通帳送り機構を構成する複数組の送りローラ１１が、前後に間隔を隔てて設置されている。各組の送りローラ１１は、それぞれその上部を底面１０ａに形成された開口部から上方に臨ませて設けられており、図示しない駆動モータにより回転駆動されるようになっている。そして駆動モータ（図示無し）は図示しない制御部により、その回転方向、回転量、回転・停止タイミング等が制御されるようになっている。これにより、通帳プリンタＰに投入された通帳は、その底面に当接する送りローラ１１の回転駆動により、図中矢印（ハ）・（ニ）方向に進退可能となっており、また送りローラ１１を停止させることにより、通帳を任意の位置に停止させることができるようになっている。
また、ベースフレーム１０の所定位置には、位置決め部材としての位置決めガイド１２が固定されている。この位置決めガイド１２は、ベースフレーム１０の一方の側壁１０ｂに沿った位置に設けられており、投入された通帳の一側端側を位置決めし、送り方向をガイドするものである。
【００２０】
ページめくり機構２０は、例えば一対のローラ２１Ｌ，２１Ｒを備えている。これらのローラ２１Ｌ，２１Ｒは、ローラシャフト２２に一体に設けられている。ローラシャフト２２は、その両端部がアーム部材としてのアーム２３Ｌ，２３Ｒを介して支持シャフト２４に支持されており、この支持シャフト２４は、ベースフレーム１０の両側の側壁１０ｂ，１０ｃに回転自在に軸支されている。この支持シャフト２４を軸とした回転によりアーム２３Ｌ，２３Ｒが揺動し、ローラ２１Ｌ，２１Ｒはベースフレーム１０の底面１０ａに対して接近・離間、つまり底面１０ａ上の通帳のページ表面に当接した位置と、ページ表面から離間した位置との間で進退可能となっている。
【００２１】
支持シャフト２４の一端側には、レバー部材２５が一体に固定されており、このレバー部材２５の先端部にはソレノイドバルブ等の支持シャフト駆動源２６が接続されて、レバー部材２５を支持シャフト２４回りの所定の一方向に回動させるようになっている。また、レバー部材２５とベースフレーム１０の側壁１０ｂとの間には、復帰用スプリング２７が介装されており、レバー部材２５を、支持シャフト駆動源２６による駆動方向とは反対方向に付勢するようになっている。このような構成において、支持シャフト駆動源２６を駆動させると、復帰用スプリング２７の付勢力に打ち勝ってレバー部材２５を所定の一方向に回動させ、これによって支持シャフト２４を所定方向に回転駆動させるようになっている。
【００２２】
また、支持シャフト２４には、その両端部にピン２８，２８が設けられており、このピン２８，２８は通常時においてアーム２３Ｌ，２３Ｒに形成された係合穴に係合し、支持シャフト２４を所定角度回転（図１において矢印（イ）方向）した時点で、アーム２３Ｌ，２３Ｒとの係合が解除されるようになっている。
【００２３】
そして、アーム２３Ｌ，２３Ｒには、支持シャフト２４に対しローラシャフト２２とは反対側に突出する突出部２９が形成されており、この突出部２９には、押圧手段、付勢部材としてのスプリング３０Ｌ，３０Ｒの一端が係止されている。スプリング３０Ｌ，３０Ｒのそれぞれの他端は、押圧力調整機構としての断面視略Ｌ字状の調整ブラケット３１の下端に係止されている。これらのスプリング３０Ｌ，３０Ｒでは、突出部２９を上方に付勢するようになっており、前記ピン２８，２８による拘束が解除された状態で、アーム２３Ｌ，２３Ｒを揺動させてローラ２１Ｌ，２１Ｒを下方に付勢し、押圧力を発揮させる。
【００２４】
各調整ブラケット３１は、ネジ等の固定部材３２を介して、ベースフレーム１０に固定された支持バー３３に取り付けられている。ここで、各調整ブラケット３１には、上下方向に延在する調整穴３１ａが形成され、またその近傍には所定間隔毎に刻まれた目盛り（図示無し）が形成されている。これにより、調整ブラケット３１は、支持バー３３に取り付けたネジ等の固定部材３２を緩めた状態で、調整穴３１ａの範囲内で上下に位置を変更することができるようになっている。このとき、目盛り（図示無し）を、例えば支持バー３３の上面、あるいは支持バー３３等に形成された目印等に合わせることにより、その位置を容易にセットできるようになっている。
このようにして調整ブラケット３１の位置を上下に位置変更することにより、スプリング３０Ｌあるいは３０Ｒのバネ長を変更することができ、これによってスプリング３０Ｌあるいは３０Ｒによる付勢力を変更し、ローラ２１Ｌ，２１Ｒでの押圧力を調整できるようになっている。
【００２５】
また、アーム２３Ｒの外側には、プーリ３５Ａ，３５Ｂおよびベルト３６Ａ，３６Ｂが配設されている。プーリ３５Ａはローラシャフト２２の一端側に固定され、またプーリ３５Ｂは、アーム２３Ｒに回転自在に支持されている。そして、ベルト３６Ａはこれらプーリ３５Ａ，３５Ｂ間に巻回され、またベルト３６Ｂは、ベースフレーム１０の側壁１０ｃの外側に設けられたローラ駆動モータ（駆動源）３７の駆動軸とプーリ３５Ｂとの間に巻回されている。これにより、ローラ駆動モータ３７を駆動させると、その回転駆動力がプーリ３５Ａ，３５Ｂおよびベルト３６Ａ，３６Ｂを介してローラシャフト２２に伝達され、ローラ２１Ｌ，２１Ｒが回転駆動されるようになっている。
【００２６】
加えて、ローラ２１Ｌ，２１Ｒの近傍には、通帳の送り方向（図２中矢印（ハ）方向）において前方にガイド部材としての前方ガイドプレート４０Ｆが、後方に後方ガイドプレート４０Ｒが備えられている。前方ガイドプレート４０Ｆ，後方ガイドプレート４０Ｒは、それぞれローラ２１Ｌ，２１Ｒから離間した側の端部がシャフト４１Ｆ，４１Ｒによって回動自在に支持され、これらシャフト４１Ｆ，４１Ｒはその両端部がベースプレート１０の側壁１０ｂ，１０ｃに支持されている。これにより、前方ガイドプレート４０Ｆ，後方ガイドプレート４０Ｒは、シャフト４１Ｆ，４１Ｒ回りに、ローラ２１Ｌ，２１Ｒ側の端部が揺動自在となっている。
そして、これら前方ガイドプレート４０Ｆ，後方ガイドプレート４０Ｒには、その揺動時にローラ２１Ｌ，２１Ｒと干渉しないための逃げ凹部４２がそれぞれ形成されている。また、前方ガイドプレート４０Ｆ，後方ガイドプレート４０Ｒの先端部４０Ｆａ、４０Ｒａは上方に反るよう折り曲げ形成されている。
加えて、前方ガイドプレート４０Ｆ，後方ガイドプレート４０Ｒには、その一側端側にセンサ検知ドッグが形成され、ベースプレート１０の側壁１０ｂにはこれを検知するセンサ４４Ｆ，４４Ｒが設置されている。これらのセンサ４４Ｆ，４４Ｒは、前方ガイドプレート４０Ｆ，後方ガイドプレート４０Ｒが所定角度揺動したときに、前記センサ検知ドッグを検知するようにセットされている。
【００２７】
これら前方ガイドプレート４０Ｆ，後方ガイドプレート４０Ｒは、図示しない突起を位置決めガイド１２側の下面に有しており、この突起が位置決めガイド１２上に乗ることで、通常時においてはベースフレーム１０の底面１０ａの所定寸法上方に位置している。また、上方に反った通帳によりこれら前方ガイドプレート４０Ｆ，後方ガイドプレート４０Ｒが上方に揺動してしまうのを防止するため、ストッパスプリング４５が備えられている。このストッパスプリング４５は、支持バー３３に取り付けられたブラケット４６に、支持スリーブ４７を介して支持されている。このストッパスプリング４５は、その中央部にコイル部４５ａを備え、このコイル部４５ａに支持スリーブ４７が挿入されているのである。コイル部４５ａからは、係止部４５ｂ，４５ｃが下方に向けて延出しており、これらは図２に示す装着状態においてローラシャフト２２を挟んでその両側を通り、その下方において互いに交差するよう折り曲げ形成されている。そして、係止部４５ｂの先端部は前方ガイドプレート４０Ｆの上面側においてこれが上方に揺動しないよう拘束し、係止部４５ｃの先端部が後方ガイドプレート４０Ｒの上面側において上方への揺動を拘束する。
そして、ローラシャフト２２が下降すると、これによって折り曲げ形成された係止部４５ｂと４５ｃが互いに離間して双方の先端部が前方ガイドプレート４０Ｆと後方ガイドプレート４０Ｒの間の隙間に移動し、前方ガイドプレート４０Ｆ，後方ガイドプレート４０Ｒの係合が解除されるようになっている。すると、前方ガイドプレート４０Ｆ，後方ガイドプレート４０Ｒは、シャフト４１Ｆ，４１Ｒ回りに揺動自在な状態となるのである。
【００２８】
このようなページめくり機構２０を備える通帳プリンタＰは、前述の如く、例えば通帳記帳機や自動入出金機等に装備されるものであり、上記した構成の他に、挿入されてベースフレーム１０の底面１０ａ上に沿って送られる通帳に対し、入出金等の取引内容等に応じて所定の記録情報を所定のページに印字する印字手段と、挿入された通帳の開いているページを所定位置のマーク等により識別するページ識別手段と、このページ識別手段での識別結果に基づいて通帳のページをめくるか否かを判定する判定手段とを備えている。
そして、通帳プリンタＰに開いた状態で投入された通帳は、ベースフレーム１０の底面１０ａ上を、送りローラ１１の回転駆動により後方側（矢印（ハ）方向）に送られていき、印字手段により所定の記録情報がページ上に印字される。このとき、ページ識別手段においては通帳の開いているページを識別しており、その結果、開いているページが最終行まで印字されたとき、あるいは投入された時点で既に最終行まで印字されているページが開かれているとき等には、判定手段でページをめくる必要があると判定し、前記ページめくり機構２０で通帳のページを自動的にめくるのである。
【００２９】
ページめくり機構２０で通帳のページをめくるときには、以下のように行う。例えば「順送り」する場合には、ベースフレーム１０の底面１０ａ上の通帳を送りローラ１１の回転駆動で送る。このときには、ローラ２１Ｌ，２１Ｒは上方に退避しており、通帳の送り動作を妨げることはない。そして、位置決めガイド１２の所定位置に設けられたセンサ１３により通帳の前端部を検出した後、送りローラ１１を駆動するモータのステップ制御により、この通帳の送り方向後方側のページがローラ２１Ｌ，２１Ｒの直下に至る位置まで通帳を送り、その時点で送りローラ１１の回転を停止させる。すると、送りローラ１１との摩擦により、通帳はその位置に停止し、固定される（図３の状態）。
【００３０】
次いで、ソレノイドバルブ等の支持シャフト駆動源２６を駆動させ、レバー部材２５を介して支持シャフト２４を所定方向に回転駆動させる。支持シャフト２４が所定角度回動すると、ピン２８，２８によるアーム２３Ｌ，２３Ｒの拘束が解除される。すると、アーム２３Ｌ，２３Ｒがフリーな状態となり、スプリング３０Ｌ，３０Ｒの付勢力によってアーム２３Ｌ，２３Ｒが下方に揺動し、ローラ２１Ｌ，２１Ｒが通帳のページ表面に押圧される。
これと同時に、ローラシャフト２２が下方に移動するに伴い、ストッパスプリング４５の係止部４５ｂと４５ｃが互いに離間し、前方ガイドプレート４０Ｆ，後方ガイドプレート４０Ｒの拘束が解除され、揺動自在な状態となる
【００３１】
続いて、ローラ駆動モータ３７を駆動させ、プーリ３５Ａ，３５Ｂおよびベルト３６Ａ，３６Ｂを介して、図４に示すように、ローラシャフト２２、つまりローラ２１Ｌ，２１Ｒを、矢印（ホ）方向に回転駆動させる。このとき、通帳の下面は送りローラ１１との摩擦によって固定されているので、通帳のページが、当該ページが綴じられている端部（開いている通帳の中央部）側にたぐられて側面視略山型となり、これに倣って前方ガイドプレート４０Ｆが揺動して持ち上がる。そして、センサ４４Ｆで前方ガイドプレート４０Ｆが所定角度揺動したことを検出した時点で、ソレノイドバルブ等の支持シャフト駆動源２６の駆動を停止させる（通電を停止する）。すると、復帰用スプリング２７の付勢力によって支持シャフト２４が回動し、ローラ２１Ｌ，２１Ｒが通帳から離間して元の退避位置に移動し、通帳に対する押圧力を解放する。このとき通帳のページはローラ２１Ｌ，２１Ｒとの摩擦により山型形状を保ったままローラ２１Ｌ，２１Ｒに接している。
【００３２】
この状態で、図５に示すように、ローラ２１Ｌ，２１Ｒを前記と同方向（図４の矢印(ホ)と同方向）に高速で回転駆動させると、ローラ２１Ｌ，２１Ｒに接しているページは跳ね上げられ、その結果、当該ページは、ページ自体の有するコシ（弾性）により元の平面状に延び、ローラ２１Ｌ，２１Ｒ上に傾斜して乗りあげた状態となる。このとき、前方ガイドプレート４０Ｆは傾斜したページを上方から押さえるような形態となり、当該ページはローラ２１Ｌ，２１Ｒと前方ガイドプレート４０Ｆとの間に挟まれた状態となる。
【００３３】
この後は、図６に示すように、この状態で送りローラ１１を回転駆動させ、通帳を図中矢印（ヘ）方向に送ることにより、傾斜状態に跳ね上がったページはローラ２１Ｌ，２１Ｒの下方を通過し、これによってページがめくられることとなる。
【００３４】
ところでこの状態では、通帳がローラ２１Ｌ，２１Ｒから離間した位置まで移動すると、前方ガイドプレート４０Ｆはその自重によって閉じるものの、ストッパスプリング４５の係止部４５ｂの上に乗ったままとなっている。このため、ソレノイドバルブ等の支持シャフト駆動源２６を短時間のみ駆動させて、ローラシャフト２２を若干寸法のみ上昇させる。すると、ストッパスプリング４５の係止部４５ｂ，４５ｃが互いに接近し、その先端部が前方ガイドプレート４０Ｆと後方ガイドプレート４０Ｒの隙間に移動する。これにより前方ガイドプレート４０Ｆの先端部が自重により係止部４５ｂの先端部よりも下方に落ちるので、この後、支持シャフト駆動源２６の駆動を停止させ、ローラシャフト２２を元の位置に戻すことにより、ストッパスプリング４５の係止部４５ｂ，４５ｃが前方ガイドプレート４０Ｆの上方において元の位置に戻り、前方ガイドプレート４０Ｆを拘束する状態となる。
しかる後には、通帳を送りローラ１１で所定方向に送り、次の処理を行う。
【００３５】
一方、例えば上記のページめくりを行った後、ページ識別手段でページを識別したところ、ページを２ページ以上まとめてめくってしまったことが判明したとき、あるいは投入された通帳が、印字を開始すべきページよりも後方のページを開いていることが判明したとき等には、制御部（図示無し）においてページめくり機構２０を「逆送り」動作させる。
これには、通帳を送りローラ１１で送り、センサ１３で通帳の前端部を検出した後、送りローラ１１を駆動するモータのステップ制御により、この通帳の送り方向前方側のページがローラ２１Ｌ，２１Ｒの直下に至る位置まで通帳を戻して停止させる。
【００３６】
次いで、「順送り」の場合と同様、ソレノイドバルブ等の支持シャフト駆動源２６で支持シャフト２４を回動させ、ピン２８，２８によるアーム２３Ｌ，２３Ｒの拘束を解除し、スプリング３０Ｌ，３０Ｒの付勢力によってローラ２１Ｌ，２１Ｒを通帳のページ表面に押圧させる。
これと同時に、ローラシャフト２２が下方に移動するに伴ってストッパスプリング４５による前方ガイドプレート４０Ｆ，後方ガイドプレート４０Ｒの拘束が解除される。
【００３７】
続いて、ローラ２１Ｌ，２１Ｒを回転駆動させると、通帳の前方側のページがたぐられて側面視略山型となり、これに倣って後方ガイドプレート４０Ｒが持ち上がる。そして、センサ４４Ｒで後方ガイドプレート４０Ｒが所定角度揺動したことを検出した時点で支持シャフト駆動源２６の駆動を停止させ、復帰用スプリング２７の付勢力によってローラ２１Ｌ，２１Ｒを通帳から離間させて押圧力を解放する。このとき通帳のページは山型形状を保ったままローラ２１Ｌ，２１Ｒに接している。
【００３８】
この状態で、ローラ駆動モータ３７でローラ２１Ｌ，２１Ｒを高速で回転駆動させると、ローラ２１Ｌ，２１Ｒに接しているページが跳ね上げられ、ローラ２１Ｌ，２１Ｒ上に傾斜して乗りあげ、後方ガイドプレート４０Ｒとの間に挟まれた状態となる。
【００３９】
この後は、この状態で送りローラ１１を回転駆動させ、通帳を送ることにより、傾斜状態に跳ね上がったページはローラ２１Ｌ，２１Ｒにより押さえつけられ、これによってページが逆方向にめくられることとなる。
【００４０】
この状態で、後方ガイドプレート４０Ｒは、ストッパスプリング４５の係止部４５ｃの上に乗ったままとなっているので、前記と同様にして、支持シャフト駆動源２６を短時間のみ駆動させて、ローラシャフト２２を若干寸法のみ上昇させてストッパスプリング４５の係止部４５ｂ，４５ｃを後方ガイドプレート４０Ｒの上方において拘束する状態に戻す。
しかる後には、通帳を送りローラ１１で所定方向に送り、次の処理を行う。
【００４１】
ところで、上記のような構成からなる通帳プリンタＰのページめくり機構２０においては、複数種の幅寸法を有した通帳を取り扱うことができるようになっており、ここでは、例えば１２０〜１８０ｍｍ幅の範囲内の通帳に対応可能となっている。このため、ページめくり機構２０において、ローラ２１Ｌ，２１Ｒ、ローラシャフト２２、アーム２３Ｌ，２３Ｒ、支持シャフト２４、スプリング３０Ｌ，３０Ｒ、および通帳の位置決め基準となる位置決めガイド１２の位置関係は、最小幅（ここでは１２０ｍｍ）と最大幅（ここでは１８０ｍｍ）の通帳を考慮して設定されている。例えば、ローラ２１Ｒは、最小幅（１２０ｍｍ）の通帳の範囲内に位置し、まためくられるページとの干渉を避けるため、アーム２３Ｌは位置決めガイド１２の外側（左側）、アーム２３Ｒは最大幅（１８０ｍｍ）の通帳の外側（右側）に位置するよう配置されている。図７中に示した寸法は、ローラ２１Ｌ，２１Ｒ、ローラシャフト２２、アーム２３Ｌ，２３Ｒ、支持シャフト２４、スプリング３０Ｌ，３０Ｒ、および位置決めガイド１２の位置関係の一例を示すものである。また、図７の寸法は、１４０ｍｍ幅の通帳の場合には、当該通帳の幅方向中心に対してローラ２１Ｌ，２１Ｒが左右対称の位置に配置されている。つまり、１４０ｍｍ幅の通帳を想定して製造されたものである。したがって、１４０ｍｍ幅以外の幅の通帳に対しては、ローラ２１Ｌ，２１Ｒは通帳の幅方向の中心に対して左右非対称に配置されることになる。これは、ローラシャフト２２を支持するアーム２３Ｌ，２３Ｒの支持点の中心と、ローラ２１Ｌ，２１Ｒとの間隔の中心とは偏心していることを示している。
【００４２】
このようなページめくり機構２０では、取り扱う通帳の幅に応じ、調整ブラケット３１の位置を上下に位置変更し、スプリング３０Ｌ，３０Ｒのバネ長を変えてその付勢力を調整することにより、ローラ２１Ｌ，２１Ｒでの押圧力を調整する。これにより、左右のローラ２１Ｌ，２１Ｒのバランスを調整し、ページをめくるときに、一方の端部と他方の端部とで撓み量が均等にめくり上げられるようにするのである。
【００４３】
この場合、スプリング３０Ｌ，３０Ｒでの所要付勢力は、▲１▼ローラシャフト２２が水平に保持されるための左右モーメントの釣り合い、▲２▼支持シャフト２４回りのアーム２３Ｌ，２３Ｒのモーメントの釣り合い、の２つの条件から求められる。
例えば、図７に示したような位置関係のページめくり機構２０で、例えば日本で使用されている１４０ｍｍ幅の通帳を取り扱う場合、この例では、通帳の幅方向の中心に対してローラ２１Ｌ，２１Ｒが対称に位置している。このため、当然のことながらローラ２１Ｌと２１Ｒとでは押圧力を等しくすればよいわけである。ここで、例えばローラ２１Ｌ，２１Ｒのそれぞれにおいて、２００（ｇｆ）の押圧力とする場合、上記▲１▼および▲２▼の条件から、スプリング３０Ｌでは９６０（ｇｆ）、スプリング３０Ｒでは６４０（ｇｆ）の付勢力とすればよい。
また、ローラ２１Ｌでの押圧力を２００（ｇｆ）で一定とした場合、ローラ２１Ｒでの押圧力は、例えば通帳幅１２０ｍｍで１５０（ｇｆ）、１６０ｍｍで２５０（ｇｆ）、１８０ｍｍで３００（ｇｆ）とするのが好ましく、それぞれに対応したスプリング３０Ｌ／３０Ｒの設定付勢力は、通帳幅１２０ｍｍで８８０／５２０（ｇｆ）、１６０ｍｍで１０４０／７６０（ｇｆ）、１８０ｍｍで１１２０／８８０（ｇｆ）となる。
【００４４】
したがって、ローラ２１Ｌ，２１Ｒでそれぞれの設定付勢力に応じたバネ長を予め求めて、それに応じた目盛りを調整ブラケット３１に形成しておく。そして、通帳プリンタＰの設置先に設置する時点で、設置業者あるいはユーザーサイドで、取り扱う通帳の幅に応じた目盛りに合わせて、調整ブラケット３１の位置を変更すればよいのである。
【００４５】
このようにして、上記ページめくり機構２０および通帳プリンタＰ、ならびにページめくり機構２０の設定調整方法では、ローラ２１Ｌ，２１Ｒの押圧力を調整してバランスをとることによって、さまざまな幅の通帳においても、ページを均等にめくり上げることが可能となる。しかも、様々な幅の通帳に対応して設定を調整するに際しても、調整ブラケット３１の位置を調整するのみで押圧力を調整することができるので、その対応を容易かつ確実に行うことが可能となる。特に、予め通帳幅に応じて調整ブラケット３１の位置を求めて目盛り、つまり調整値を刻んでおくことにより、上記効果は一層顕著なものとなる。
【００４６】
なお、上記実施の形態において、スプリング３０Ｌ，３０Ｒの設定バネ長を変更するに際し、調整ブラケット３１の位置を変更するようにしたが、ネジ等の固定部材３２に限らず、容易に位置変更が可能であれば、適宜他の形態のものを採用してもよい。例えば、図８に示すように、アーム２３Ｌ'，２３Ｒ'に側方に突出する延出部５０を形成し、この延出部５０に複数の係止穴５１を設けて、スプリング３０Ｌ，３０Ｒの係止位置を変更することによって、そのバネ長を変更するようにしてもよい。またこの形態は、スプリング３０Ｌ，３０Ｒのアーム２３Ｌ，２３Ｒに対する回転モーメントの作用点が変わったことを意味している。この作用点の変更によりローラ２１Ｌ，２１Ｒの押圧力を調整することができる。
【００４７】
また、図９に示すように、ローラシャフト２２および支持シャフト２４に対し、一方のアーム２３Ｒをスライド可能に設け、また、支持バー３３には、スプリング３０Ｒの上端部を係止する係止穴６０を複数形成するようにしてもよい。アーム２３Ｒの位置をスライドさせて変更させることにより、ローラ２１Ｒに対するスプリング３０Ｒの付勢力の作用点との距離を変え、アーム２３Ｒを介した付勢力によるモーメントを変化させるのである。これによってもローラ２１Ｌ，２１Ｒの押圧力を調整することができ、上記と同様にして様々な幅の通帳において、ページを均等にめくり上げることが可能となる。しかも、様々な幅の通帳に対応して設定を調整するに際しても、アーム２３Ｒを移動させ、スプリング３０Ｒを架け替えるのみでよいので、作業を容易に行うことができる。
【００４８】
なお、上記実施の形態では、スプリング３０Ｒ，３０Ｌの設定付勢力の数値例や、それを求めるためのモーメントの釣り合いについての例を挙げたが、それらはあくまでも一例にすぎず、様々な幅の通帳を確実にページめくりすることができるのであれば、他の数値を採用したり、モーメントの釣り合いの検討方法を変更したりしても何ら差し支えはない。
さらに、取り扱う通帳の幅の範囲も上記以外であってもよく、またもちろん、通帳に限らず、複数ページを有する帳票や書籍等、他の複葉媒体を取り扱うのであってもよい。
【００４９】
加えて、本発明にかかるページめくり機構、通帳プリンタならびにページめくり機構の設定調整方法の主旨を逸脱しない限り、上記した以外の様々な変形例が可能である。例えばローラ２１Ｌ，２１Ｒを３つ以上としてもよい。また、ローラをページ表面に対して進退させることができるのであれば、支持シャフト２４を軸とした回転動作に限らず、例えば伸縮シリンダ等をローラ進退手段として用い、ローラを進退させることも可能である。同様に、各組のローラをページ表面に押圧できるのであれば、スプリング３０Ｌ，３０Ｒではなく、例えばエア圧等、他のものを押圧手段として利用することも考えられる。このように、ローラ進退手段や押圧手段として、上記実施の形態であげた以外のものを採用する場合であっても、取り扱う複葉媒体の幅寸法に応じて、押圧力調整機構で押圧手段における各組のローラの押圧力をそれぞれ調整するようにすれば、上記と同様の効果が得られるのである。また、上記実施の形態では、ローラ２１Ｌ，２１Ｒの双方の押圧力を調整する構成としたが、そのいずれか一方の押圧力を固定とし，他方の押圧力を調整することでも上記と同様の効果を得ることが可能である。
これ以外にも、例えばピン２８による支持シャフト２４の拘束や、ストッパスプリング４５による前方ガイドプレート４０Ｆ，後方ガイドプレート４０Ｒの拘束等についても、上記にあげた以外の構成を適宜採用することが可能である。
この他、上記ページめくり機構２０、通帳プリンタＰを備える通帳記帳機や自動入出金機等については、上記にあげた以外の細部の構成はいかなるものであってもよい。
【００５０】
【発明の効果】
以上説明したように、本発明によれば、各組のローラの押圧力を調整してバランスをとることで、ローラが必ずしも複葉媒体の中心に対して対称に位置していなくても、ページを均等にめくり上げることが可能となる。また、様々な幅の複葉媒体に対応させるに際し、押圧力の調整のみで済むので、その対応を容易かつ確実に行うことが可能となる。
【図面の簡単な説明】
【図１】  本実施の形態におけるページめくり機構、通帳プリンタならびにページめくり機構の設定調整方法を適用するページめくり機構の全体構成を説明するための斜視分解図である。
【図２】  図１の組み立て状態を示す斜視図である。
【図３】  前記ページめくり機構でページをめくる過程を示す図であり、ローラを降ろした状態を示す図である。
【図４】  図３に続く過程であり、ローラでページをめくり上げている状態を示す図である。
【図５】  図４に続く過程であり、ローラを高速回転させてページをローラ上に跳ね上げた状態を示す図である。
【図６】  図５に続く過程であり、通帳を移動させてページをめくっている状態を示す図である。
【図７】  前記ページめくり機構を構成する各部材の位置関係を示す図である。
【図８】  前記ページめくり機構の他の一形態を示す図である。
【図９】  同ページめくり機構のさらに他の一形態を示す図である。
【図１０】  従来のページめくり機構の一例を示す図であり、前記ページめくり機構の全体構成を説明するための斜視分解図である。
【符号の説明】
１０…ベースフレーム、１１…送りローラ、１２…位置決めガイド、２０…ページめくり機構、２１Ｌ，２１Ｒ…ローラ、２２…ローラシャフト、２３Ｌ，２３Ｒ…アーム、２４…支持シャフト、２６…支持シャフト駆動源、３０Ｌ，３０Ｒ…スプリング、３１…調整ブラケット、３７…ローラ駆動モータ、４０Ｆ…前方ガイドプレート、４０Ｒ…後方ガイドプレート、Ｐ…通帳プリンタ
【図１】
0004558129.tif 000002
【図２】
0004558129.tif 000003
【図３】
0004558129.tif 000004
【図４】
0004558129.tif 000005
【図５】
0004558129.tif 000006
【図６】
0004558129.tif 000007
【図７】
0004558129.tif 000008
【図８】
0004558129.tif 000009
【図９】
0004558129.tif 000010
【図１０】
0004558129.tif 000011